(57)【要約】【課題】  リアルタイムのスルー画像の撮影可否の確認と以前撮影した画像の確認をビューファインダーからを目を離さずに行うことができ、スルー画像すべてを広視野で観察しながら撮影できるビューファインダーシステム及びそれを備えた撮像装置を提供する。【解決手段】  少なくとも物体像が表示される表示部ＬＣＤを有するビューファインダーＶと、撮影した画像を記憶する記憶手段２と、表示部ＬＣＤに画像を表示させる表示制御手段１と、を備え、表示部ＬＣＤは、リアルタイムの画像が表示されるスルー画像表示部Ｔと、記憶手段２に保存されている少なくとも１つの画像が表示される視野マスクＭと、を有する。【選択図】図１
2010060776.tif 000002
【特許請求の範囲】
【請求項１】
少なくとも物体像が表示される表示部を有するビューファインダーと、
撮影した画像を記憶する記憶手段と、
前記表示部に画像を表示させる表示制御手段と、
を備え、
前記表示部は、
リアルタイムの画像が表示されるスルー画像表示部と、
前記記憶手段に保存されている少なくとも１つの画像が表示される視野マスクと、
を有する
ことを特徴とするビューファインダーシステム。
【請求項２】
前記撮影した画像に関する情報を取得する画像情報取得手段を有し、
前記表示制御手段は、前記画像情報取得手段の取得した情報を前記視野マスクに表示させる
ことを特徴とする請求項１に記載のビューファインダーシステム。
【請求項３】
外部から前記撮影した画像に関する情報を取得する通信部を有する
ことを特徴とする請求項１又は請求項２に記載のビューファインダーシステム。
【請求項４】
前記表示制御手段は、前記撮影した画像の解像度を落として表示させる
ことを特徴とする請求項１乃至請求項３のいずれか１つに記載のビューファインダーシステム。
【請求項５】
前記表示制御手段は、前記撮影した画像のうち新しい画像から表示させる
ことを特徴とする請求項１乃至請求項４のいずれか１つに記載のビューファインダーシステム。
【請求項６】
前記スルー画像表示部は、前記視野マスクよりも大きい
ことを特徴とする請求項１乃至請求項５のいずれか１つに記載のビューファインダーシステム。
【請求項７】
前記表示制御手段は、前記スルー画像表示部に表示されているスルー画像に関する情報を前記視野マスクに表示させる
ことを特徴とする請求項１乃至請求項６のいずれか１つに記載のビューファインダーシステム。
【請求項８】
前記視野マスクは、前記スルー画像表示部に表示されているスルー画像以外の画像や情報を表示し、
以下の条件式（１）、（２）を満足する表示モードを有する
ことを特徴とする請求項１乃至請求項７のいずれか１つに記載のビューファインダーシステム。
２２＜θａ＜８０                            ・・・（１）
０．５＜θｔ／θａ＜０．９５                ・・・（２）
ただし、θａは、ファインダーの全体水平視野角、
θｔは、スルー画素表示水平視野角、
である。
【請求項９】
前記表示部は、表示素子を有し、
以下の条件式（３）を満足する
ことを特徴とする請求項１乃至請求項８のいずれか１つに記載のビューファインダーシステム。
０．１５＜Ｐｔ／Ｐａ＜０．８５              ・・・（３）
ただし、Ｐａは、表示素子の表示画素数、
Ｐｔは、スルー画像を表示する表示画素数、
である。
【請求項１０】
以下の条件式（４）を満足する
ことを特徴とする請求項１乃至請求項９のいずれか１つに記載のビューファインダーシステム。
０．１５＜Ｐｓ／Ｐａ＜０．８５              ・・・（４）
ただし、Ｐａは、表示素子の表示画素数、
Ｐｓは、視野マスクの画素数、
である。
【請求項１１】
請求項１乃至請求項１０のいずれか１つに記載の前記ビューファインダーシステムを備えたことを特徴とする撮像装置。
【発明の詳細な説明】
【技術分野】
【０００１】
本発明は、表示部に表示された物体像を観察するためのビューファインダーを有する撮像装置に関する。
【背景技術】
【０００２】
一般に、電子ビューファインダー（ＥＶＦ）は、撮影できたか否かを確認したり、以前に撮影した画像を見たりしながらリアルタイムのスルー画像を撮影することは困難であった。
【０００３】
また、以前に撮影した画像とリアルタイムのスルー画像を重畳する技術が開示されている（特許文献１）。
【特許文献１】特開２００１−１１７１６３号公報
【発明の開示】
【発明が解決しようとする課題】
【０００４】
特許文献１に記載された技術では、以前に撮影した画像とリアルタイムのスルー画像を液晶の一画面に重畳するので、スルー画像が一部欠けてしまう問題があった。
【０００５】
本発明は従来技術のこれらの問題点に鑑みてなされたものであり、その目的は、リアルタイムのスルー画像の撮影可否の確認と以前撮影した画像の確認をビューファインダーから目を離さずに行うことができ、スルー画像すべてを広視野で観察しながら撮影できるビューファインダーシステム及びそれを備えた撮像装置を提供することである。
【課題を解決するための手段】
【０００６】
上記目的を達成する本発明に係るビューファインダーシステムは、少なくとも物体像が表示される表示部を有するビューファインダーと、撮影した画像を記憶する記憶手段と、前記表示部に画像を表示させる表示制御手段と、を備え、前記表示部は、リアルタイムの画像が表示されるスルー画像表示部と、前記記憶手段に保存されている少なくとも１つの画像が表示される視野マスクと、を有することを特徴とする。
【発明の効果】
【０００７】
本発明によると、リアルタイムのスルー画像の撮影可否の確認と以前撮影した画像の確認をビューファインダーから眼を離さずに行うことができ、スルー画像すべてを広視野で観察しながら撮影できるビューファインダーシステム及びそれを備えた撮像装置を得ることができる。
【発明を実施するための最良の形態】
【０００８】
本実施形態のビューファインダーシステム及びそれを備えた撮像装置について、以下説明する。
【０００９】
本実施形態のビューファインダーシステムは、少なくとも物体像が表示される表示部を有するビューファインダーと、撮影した画像を記憶する記憶手段と、前記表示部に画像を表示させる表示制御手段と、を備え、前記表示部は、リアルタイムの画像が表示されるスルー画像表示部と、前記記憶手段に保存されている少なくとも１つの画像が表示される視野マスクと、を有する。
【００１０】
このような構成により、観察者は、眼をビューファインダーから離さずに撮影した画像
の確認をすることができる。また、スルー画像すべてを広視野で観察しながら撮影することができる
【００１１】
また、撮影した画像に関する情報を取得する画像情報取得手段を有し、表示制御手段は、画像情報取得手段の取得した情報を視野マスクに表示させることが好ましい。
【００１２】
例えば、撮影場所や日時、撮影場所に関する情報等の撮影した画像に関する情報を、撮影した画像と共に確認することが可能となる。
【００１３】
また、外部から撮影した画像に関する情報を取得する通信部を有することが好ましい。
【００１４】
記憶手段に記憶している情報以外の撮影した画像に関する情報を取得することが可能となる。
【００１５】
また、表示制御手段は、撮影した画像の解像度を落として表示させることが好ましい。
【００１６】
撮影した画像を多く表示させることが可能となる。
【００１７】
また、表示制御手段は、撮影した画像のうち新しい画像から表示させることが好ましい。
【００１８】
撮影した画像を、直前に撮影した画像から遡って順番に表示するので、順を追って撮影した画像を確認することが可能となる。
【００１９】
また、スルー画像表示部は、視野マスクよりも大きいことが好ましい。
【００２０】
スルー画像を広視野で観察でき、見やすく、撮影しやすい。
【００２１】
また、表示制御手段は、スルー画像表示部に表示されているスルー画像に関する情報を視野マスクに表示させることが好ましい。
【００２２】
例えば、撮影している場所や撮影している場所に関する情報等のスルー画像に関する情報を、撮影しながら確認することが可能となる。
【００２３】
また、視野マスクは、スルー画像表示部に表示されているスルー画像以外の画像や情報を表示し、以下の条件式（１）、（２）を満足する表示モードを有することが好ましい。
２２＜θａ＜８０                            ・・・（１）
０．５＜θｔ／θａ＜０．９５                ・・・（２）
ただし、θａは、ファインダーの全体水平視野角、
θｔは、スルー画像表示水平視野角、
である。
【００２４】
条件式（１）、（２）を満足することで、広視野でスルー画像の確認ができ、スルー画像以外の画像や情報も一緒に確認できて見やすくなる。
【００２５】
条件式（１）の下限２２を下回ると、ファインダーが狭く、見えづらくなる。また、条件式（１）の上限８０を上回ると、広すぎて見えづらくなる。
【００２６】
条件式（２）の下限０．５を下回ると、スルー画像と視野マスクの中心間隔が大きくなりすぎ、視野マスクが見えづらくなる。また、条件式（２）の上限０．９５を上回ると、
スルー画像の視野角が狭くなりすぎ、眼の分解能からスルー画像の解像が劣化し好ましくない。
【００２７】
また、表示部は、表示素子を有し、以下の条件式（３）を満足することが好ましい。
０．１５＜Ｐｔ／Ｐａ＜０．８５              ・・・（３）
ただし、Ｐａは、表示素子の表示画素数、
Ｐｔは、スルー画像を表示する表示画素数、
である。
【００２８】
条件式（３）の下限０．１５を下回ると、スルー画像の視野角が狭くなりすぎ、眼の分解能からスルー画像の解像が劣化し好ましくない。また、条件式（３）の上限０．８５を上回ると、スルー画像と視野マスクの中心間隔が大きくなりすぎ、視野マスクが見えづらくなる。また、視野マスクに表示できる情報量が少なくなり、十分な撮影支援が困難になる。
【００２９】
以下の条件式（４）を満足することが好ましい。
０．１５＜Ｐｓ／Ｐａ＜０．８５              ・・・（４）
ただし、Ｐａは、表示素子の表示画素数、
Ｐｓは、視野マスクの画素数、
である。
【００３０】
条件式（４）を満足することで、広視野でスルー画像の確認ができ、スルー画像以外の画像や情報も一緒に確認できて見やすくなる。
【００３１】
条件式（４）の下限０．１５を下回ると、視野マスクの視野角が狭くなりすぎ、眼の分解能から視野マスクの解像が劣化し好ましくない。また、視野マスクに表示できる情報量が少なくなり、十分な撮影支援が困難になる。また、条件式（４）の上限０．８５を上回ると、スルー画像と視野マスクの中心間隔が大きくなりすぎ、視野マスクが見えづらくなる。
【００３２】
また、ビューファインダーシステムを撮像装置に備えることが好ましい。
【００３３】
以下、ビューファインダーシステム及びそれを備えた撮像装置について図面を用いて説明する。
【００３４】
図１は、実施形態に係る撮像装置Ｃを示す図である。撮像装置Ｃは、本体Ｃ１と、この本体Ｃ１に備えられたビューファインダーＶとを有する。なお、Ｄは背面画像表示素子であって、液晶表示素子ＬＣＤと同方向から観察できる位置に配置されている。
【００３５】
ビューファインダーＶは電子ビューファイン（ＥＶＦ）であって、少なくとも液晶表示素子ＬＣＤを備え、その他に図示しない接眼光学系Ｏと、接眼部Ｐを備えている。ここで、液晶表示素子ＬＣＤは表示部であって、この液晶表示素子ＬＣＤには物体の像が表示される。また、接眼光学系Ｏは、液晶表示素子ＬＣＤに表示された画像を観察者の眼に導く光学系である。また、接眼部Ｐは観察者が覗く部分であって、接眼光学系Ｏの観察者側に配置されている。
【００３６】
図２は、液晶表示素子ＬＣＤの構成を示す図である。図２に示すように、液晶表示素子ＬＣＤは、リアルタイムの画像が表示されるスルー画像表示部Ｔと、後述する記憶手段に保存されている少なくとも１つの画像が表示される視野マスクＭと、を有する。スルー画像表示部Ｔは、視野マスクＭよりも大きいことが好ましい。
【００３７】
図３は、本発明に係るビューファインダーシステムの第１実施形態のシステムブロック図である。
【００３８】
図３に示すように、ビューファインダーシステムは、表示制御手段１と、記憶手段２と、画像情報取得手段３とを有する。
【００３９】
表示制御手段１は、液晶表示素子ＬＣＤに画像を表示させるものである。液晶表示素子ＬＣＤのスルー画像表示部Ｔには、リアルタイムのスルー画像を表示し、視野マスクＭには、記憶手段２に保存されている少なくとも１つの画像を表示する。
【００４０】
記憶手段２は、撮影した画像や撮影した画像に関する情報を記憶するもので、撮像装置Ｃに内蔵されていてもよいし、撮像装置Ｃに外付けで設けられてもよい。
【００４１】
画像情報取得手段３は、撮影した画像に関する情報を取得するものである。画像情報取得手段３の取得した情報は、表示制御手段１により視野マスクに表示する。
【００４２】
画像情報取得手段３の取得する情報は、例えば、撮影場所や日時、撮影状況、撮影場所に関する情報等の撮影した画像に関する情報である。
【００４３】
図４は、本発明に係るビューファインダーシステムの第２実施形態のシステムブロック図である。
【００４４】
図４に示すように、第２実施形態のビューファインダーシステムは、外部から撮影した画像に関する情報を取得する通信部４を有する。通信部４は、撮影した画像に関する情報を記憶している情報データベース５に、ＧＰＳやサーバー等を通じて通信可能とするものである。通信部４により外部の情報データベース５から記憶手段２に記憶している情報以外の撮影した画像に関する情報を取得することが可能となる。
【００４５】
そして、通信部４の取得したデータは、画像情報取得手段３により表示制御部１に送られ、図５に示すように、例えば、撮影場所や日時、撮影状況、撮影場所に関する情報等の撮影した画像に関する情報を視野マスクＭに表示する。
【００４６】
なお、ビューファインダーシステムは、第１実施形態及び第２実施形態に限らず、他の機能を有してもよい。
【００４７】
例えば、表示制御手段１は、撮影した画像の解像度を落として表示させる機能を有してもよい。また、表示制御手段１は、撮影した画像のうち新しい画像から表示させる機能を有してもよい。さらに、表示制御手段１は、スルー画像表示部Ｔに表示されているスルー画像に関する情報を視野マスクＭに表示させる機能を有してもよい。
【００４８】
また、図６に示すように、視野マスクＭは、スルー画像表示部Ｔに表示されているスルー画像以外の画像や情報を表示し、以下の条件式（１）、（２）を満足する表示モードを有する。
２２＜θａ＜８０                            ・・・（１）
０．５＜θｔ／θａ＜０．９５                ・・・（２）
ただし、θａは、ファインダーの全体水平視野角、
θｔは、スルー画像表示水平視野角、
である。
【００４９】
また、表示部は、表示素子を有し、以下の条件式（３）を満足することが好ましい。
０．１５＜Ｐｔ／Ｐａ＜０．８５              ・・・（３）
ただし、Ｐａは、表示素子の表示画素数、
Ｐｔは、スルー画像を表示する表示画素数、
である。
【００５０】
また、以下の条件式（４）を満足することが好ましい。
０．１５＜Ｐｓ／Ｐａ＜０．８５              ・・・（４）
ただし、Ｐａは、表示素子の表示画素数、
Ｐｓは、視野マスクの画素数、
である。
【００５１】
図７は、本発明の撮像装置の一例であるデジタルカメラの構成を示す図である。図７において、符号１１０は撮像装置であるデジタルカメラで、撮像光学系１０１と、フィルター１０２と、撮像素子１０３と、コントローラー１０４と、内蔵メモリー１０５と、電子ビューファインダー１０６と、インターフェイス１０７とより構成されている。
【００５２】
上記撮像装置において、撮像光学系１０１は複数の光学素子（レンズ等）にて構成されている。物体より発した光は、この撮像光学系１０１により集光され、この集光位置に物体像が形成される。そして、この集光位置には、ＣＣＤ等の撮像素子１０３（受光面）が配置されている。撮像素子１０３は、規則正しく配置された光電変換素子の集まりよりなっている。また、モアレ現象の発生を防止するために、ローパス効果を持つフィルター１０２が撮像光学系１０１と撮像素子１０３の間に配置されている。また、赤外光をカットするための赤外カットフィルターを配置することもある。
【００５３】
撮像素子１０３に入射した光束は、その光電変換素子により電気信号（画像信号）に変換される。この電気信号は、コントローラー１０４に入力される。ここで、コントローラー１０４により、ガンマー補正や画像圧縮処理等の信号処理が電気信号に対して行なわれる。信号処理が施された電気信号は、内蔵メモリー１０５やインターフェイス１０７を介してパーソナルコンピューター１０９等に出力される。
【００５４】
電子ビューファインダー１０６は、照明系、画像表示素子及び接眼光学系（接眼レンズ）等で構成されている。ここで、接眼光学系には、上記実施例の接眼光学系Ｏが用いられている。また、画像表示素子としては、上記実施例の反射型表示素子が用いられている。この画像表示素子は、コントローラー１０４によって制御されている。このような構成により、電子ビューファインダー１０６では、撮像しようとする物体の像や撮像された画像を観察者が観察し得るようになっている。また、内蔵メモリー１０５から補助メモリー１０８へ画像データを送ることできる。一方、インターフェイス１０７からは同じ画像データをパーソナルコンピューター１０９へ送ることができる。
【００５５】
図８は、本発明の撮像装置を銀塩カメラに適用した場合の構成を示すものである。図８に示すように、銀塩カメラ１２０は、撮像光学系１１１と、フィルム１１２と、対物レンズ１１３と、ＣＣＤ等の撮像素子１１４と、第１のコントローラー１１５と、他の第２のコントローラー１１６とを有する。そしてさらに、図７のデジタルカメラと同様に、内蔵メモリー１０５と、電子ビューファインダー１０６とを備えている。なお、図示されているように、撮像光学系１１１と対物レンズ１１３とは、別の異なる光学系である。
【００５６】
この図８に示す銀塩カメラ１２０では、物体からの光束は撮像光学系１１１により集光され、この集光位置（第１集光位置）に物体像が形成される。第１集光位置には、フィルム１１２が配置されている。また、物体より発した光束は、対物レンズ１１３により集光
され、この集光位置（第２集光位置）に物体像が形成される。この第２集光位置には、ＣＣＤ等の撮像素子１１４が配置されている。撮像素子１１４は、規則正しく配置された光電変換素子の集まりよりなっている。
【００５７】
この撮像素子１１４に入射した光束は、光電変換素子にて電気信号（画像信号）に変換される。この電気信号は、第１のコントローラー１１５に入力される。この第１のコントローラー１１５により、ガンマー補正や画像圧縮処理等の信号処理が行なわれる。信号処理が施された電気信号は、画像表示素子へ送られる。上述のように、電子ビューファインダー１０６は、照明系、画像表示素子及び接眼光学系（接眼レンズ）等で構成されている。接眼光学系には、本実施形態の接眼光学系Ｏが用いられている。この電子ビューファインダー１０６を介して、撮像しようとする物体の像を撮像者は観察し得る。
【００５８】
一方、内蔵メモリー１０５に蓄積された情報等を用いて、撮像で得られた画像を使用者（観察者）は観察し得る。このような制御は、第１のコントローラー１１５により行なわれる。
【００５９】
また、撮像光学系１１１を制御するためのものとして、第２のコントローラー１１６を備えている。第２のコントローラー１１６は、撮像光学系１１１に対してズーミングやフォーカシング等の動作を行わせる。ズーミングやフォーカシング等の情報は、この第２のコントローラー１１６からの信号を基に第１のコントローラー１１５にて認識される。第１のコントローラー１１５は、この認識により、画像表示素子に表示する像を撮像画角（ズーミング）に合わせて調節し得る。また、フォーカシング等の情報に基づいて、画像表示素子に表示される像の範囲の補正（パララックス補正）を行なうようにしてもよい。また、第１のコントローラー１１５よりの信号は、内蔵メモリー１０５や図示してないインターフェイスへ送られるようにしても良い。そして、これらの信号（情報）を、インターフェイスを介してパーソナルコンピューター等に出力するようにしてもよい。
【００６０】
また、撮像光学系１１１とフィルム１１２の間に光路分割素子を配置しても良い。この光路分割素子を介して物体からの光束をファインダー用に導き、撮像素子１１４に物体の像を形成しても良い。そして、この物体像を基に観察を行なうようにしてもよい。この場合、対物レンズ１１３を用いる必要が無い。
【図面の簡単な説明】
【００６１】
【図１】本発明の実施形態に係る撮像装置を示す図である。
【図２】ビューファインダーシステムの液晶表示素子の構成を示す図である。
【図３】本発明に係るビューファインダーの第１実施形態のシステムブロック図である。
【図４】本発明に係るビューファインダーの第２実施形態のシステムブロック図である。
【図５】撮影した画像に関する情報を視野マスクに表示した状態を示す図である。
【図６】スルー画像表示部の視野角を示す図である。
【図７】本発明の撮像装置の一例であるデジタルカメラの構成を示す図である。
【図８】本発明の撮像装置を銀塩カメラに適用した場合の構成を示す図である。
【符号の説明】
【００６２】
Ｃ…撮像装置
Ｃ１…本体
Ｖ…ビューファインダー
Ｄ…背面画像表示素子
ＬＣＤ…液晶表示素子
Ｏ…接眼光学系
Ｔ…スルー画像表示部
Ｍ…視野マスク
１…表示制御手段
２…記憶手段
３…画像情報取得手段
４…通信部
５…情報データベース
１０１…撮像光学系
１０２…フィルター
１０３…撮像素子
１０４…コントローラー
１０５…内蔵メモリー
１０６…電子ビューファインダー
１０７…インターフェイス
１０８…補助メモリー
１０９…パーソナルコンピューター
１１０…デジタルカメラ
１１１…撮像光学系
１１２…フィルム
１１３…対物レンズ
１１４…撮像素子
１１５…第１のコントローラー
１１６…第２のコントローラー
１２０…銀塩カメラ
【図１】
2010060776.tif 000003
【図２】
2010060776.tif 000004
【図３】
2010060776.tif 000005
【図４】
2010060776.tif 000006
【図５】
2010060776.tif 000007
【図６】
2010060776.tif 000008
【図７】
2010060776.tif 000009
【図８】
2010060776.tif 000010